(57)【要約】【課題】  ３板方式の投射型表示装置において、各パネルの取付位置のずれによる表示画質の劣化を改善する。【解決手段】  補正方法の異なる複数のパターンからなる調整用画像を表示し、前記パターンの何れかを選択することにより、その選択された補正方法で画面全体を補正して表示する。さらに、少なくとも２枚の前記調整用画像を前記表示画面の対角に配置する。さらに、前記補正方法は、着目画素とその周辺画素より演算し、補正画素を作成する。【選択図】  図３
2006129026.tif 000002
【特許請求の範囲】
【請求項１】
補正手段の異なる複数のパターンからなる調整用画像を表示する調整用画像表示手段と、前記パターンの何れかを選択する選択手段と、前記選択手段で選択された補正手段で画面全体を補正して表示することを特徴とする表示装置。
【請求項２】
少なくとも２枚の前記調整用画像を前記表示画面の対角に配置する配置手段を備えることを特徴とする請求項１に記載の表示装置。
【請求項３】
前記補正手段は、着目画素とその周辺画素より演算する演算手段と、補正画素を作成する補正画素作成手段を備えることを特徴とする請求項１に記載の表示装置。
【請求項４】
前記選択された表示画面に表示された少なくとも２つのパターンより、回転角を演算する回転角演算手段と、表示画像を回転補正して表示する回転補正表示手段を備えることを特徴とする請求項１に記載の表示装置。
【請求項５】
補正方法の異なる複数のパターンからなる調整用画像を表示し、前記パターンの何れかを選択することにより、その選択された補正方法で画面全体を補正して表示することを特徴とする表示装置の表示方法。
【請求項６】
少なくとも２枚の前記調整用画像を前記表示画面の対角に配置すること特徴とする請求項５に記載の表示装置の表示方法。
【請求項７】
前記補正方法は、着目画素とその周辺画素より演算し、補正画素を作成することを特徴とする請求項５に記載の表示装置の表示方法。
【請求項８】
前記選択された表示画面に表示された少なくとも２つのパターンより、回転角を演算し、表示画像を回転補正して表示することを特徴とする請求項５に記載の表示装置の表示方法。
【発明の詳細な説明】
【技術分野】
【０００１】
本発明は、表示装置に関する。
【０００２】
特に、複数の表示器に表示した画像を合成して表示する表示装置に関する。
【背景技術】
【０００３】
従来、表示位置の調整方法としては、メカ的にパネル等を移動することにより調整するものが知られている。（例えば、特許文献１参照）
また、電気的な調整方法としては、パネルの駆動タイミングの変更等にて、Ｘ、Ｙ方向の表示の調整を行うものがある。
【特許文献１】特開平７−５９０３７号公報
【発明の開示】
【発明が解決しようとする課題】
【０００４】
しかしながら、これらの方法は、工場出荷時（生産時）の調整やサービスマン（修理時）等の調整には適しているが、ユーザーが行うには困難である。
【０００５】
また、Ｘ，Ｙ方向のずれをメカ的に調整することは、表示画像を見ながらの修正が可能ではあるが、回転方向の位置ずれの修正は、回転角度と回転中心のパラメータを同時に調整しなければならないため、手動による調整は困難であった。
【０００６】
また、駆動タイミングの変更による調整は、ＸＹ方向は可能であるが、回転方向は不可能であるという問題があった。
【０００７】
また、近年、ＤＭＤ、透過型ＴＦＴ、ＬＣＯＳ等を用いた投射型表示装置においては、
パネルの高解像度化により、１画素の大きさが１０〜２０ｕｍ□程度になり、Ｒ，Ｇ，Ｂの各パネルの表示画像を合成した際の位置を合せるために、各パネルの位置を機械的に調整することが難しくなってきた。
【０００８】
そのため、より簡単に調整する手法が求められている。
【０００９】
また、出荷後の経時変化により、取付位置がずれることにより、表示位置ずれが生じる場合がある。
【００１０】
そのため、ユーザーが容易に調整する手法が求められている。
【００１１】
本発明では、ユーザーが簡単に素早く容易に表示パネルの位置ずれの調整が可能な表示装置を提供することを目的としている。
【００１２】
また、今後、更にパネルの高密度可が進み、メカ的な調整がより困難な場合においても位置ずれの調整が可能な表示装置を提供することを目的としている。
【課題を解決するための手段】
【００１３】
上記目的を達成するために本発明にあたっては、以下の構成を採用する。すなわち、
補正手段の異なる複数のパターンからなる調整用画像を表示する調整用画像表示手段と、前記パターンの何れかを選択する選択手段と、前記選択手段で選択された補正手段で画面全体を補正して表示することを特徴とする表示装置である。
【００１４】
また、少なくとも２枚の前記調整用画像を前記表示画面の対角に配置する配置手段を備えることを特徴とする表示装置である。
【００１５】
また、前記補正手段は、着目画素とその周辺画素より演算する演算手段と、補正画素を作成する補正画素作成手段を備えることを特徴とする表示装置である。
【００１６】
また、前記選択された表示画面に表示された少なくとも２つのパターンより、回転角を演算する回転角演算手段と、表示画像を回転補正して表示する回転補正表示手段を備えることを特徴とする表示装置である。
【発明の効果】
【００１７】
以上、本発明によれば、
補正方法の異なる複数のパターンからなる調整用画像を表示し、前記パターンの何れかを選択することにより、その選択された補正方法で画面全体を補正して表示することにより、パネルの位置ずれによる画質劣化をより簡単な調整にて改善できる表示装置を提供することが可能となった。
【００１８】
更に本発明によれば、
少なくとも２枚の前記調整用画像を前記表示画面の対角に配置すること特徴とすることにより、表示パネルが回転方向に位置ずれをした表示装置においても画質劣化をより簡単な調整にて改善できる表示装置を提供することが可能となった。
【００１９】
更に本発明によれば、
前記補正方法は、着目画素とその周辺画素より演算し、補正画素を作成することを特徴とすることにより、１画素以内の位置ずれや回転方向の位置ずれに対してジャギー等の少ない高画質な補正画質を得ることができる表示装置を提供することが可能となった。
【００２０】
更に本発明によれば、
前記選択された表示画面に表示された少なくとも２つのパターンより、回転角を演算し、表示画像を回転補正して表示することを特徴とすることにより、回転角の算出が容易になり、表示パネルが回転方向に位置ずれをした表示装置においても画質劣化をより簡単な調整にて改善できる表示装置を提供することが可能となった。
【発明を実施するための最良の形態】
【００２１】
（実施例１）
本発明では、図１に示す背面投射型表示装置２００を開発した。図１は側面から見た図である。
【００２２】
投射型表示エンジンＤ１から投射された画像を反射ミラー２０１にて反射し、スクリーン６の背面から投射する。スクリーン６の前面には、デジタイザ装置２０２が取り付けられており、スクリーン６前面より、デジタイザ用ペン２０３にて入力した位置座標を表示装置２００に入力する。デジタイザ装置としては、光学式のものや感圧式のものや超音波式のもの等、各種のものを用いることができる。
【００２３】
位置調整開始ＳＷ２０４は、位置合せ調整の開始を指示するためのＳＷである。
【００２４】
図２の投射型表示エンジンＤ１は、光変調素子として、Ｒ、Ｇ、Ｂ各色表示対応の３枚の液晶パネル２Ｒ，２Ｇ，２Ｂを用い、これら３枚の液晶パネル２Ｒ，２Ｇ，２Ｂはクロスプリズム７に対向する位置に配置した。なお、本実施例においては、液晶パネル２Ｒ，２Ｇ，２Ｂとして、ＴＦＴを用いて駆動するＴＮ液晶パネルを用いた。また、各液晶パネル２Ｒ，２Ｇ，２Ｂを挟み込むように、その両側には偏光板８をそれぞれ配置し、クロスプリズム７の光出射側には投射レンズ９やスクリーン（被投射部材）６を配置した。
【００２５】
一方、ランプ（光源）１を囲むように放物型のリフレクタ１０を配置し、ランプ１からの出射光が平行光束に変換されるようにした。なお、このリフレクタ１０は放物型でなくても、楕円型とし集光光束へ変換するようにしても良い。また、ランプ１には、メタルハライドランプやキセノンランプなどを用いることができる。
【００２６】
また、はえの目インテグレータ４０，４１は、ランプ１から出射された光の光路上に配置し、液晶パネル２Ｒ，２Ｇ，２Ｂと共役な関係となるように配置し、光源の不均一性を改善した。
【００２７】
そして、はえの目インテグレータ４０，４１の光出射側には、順に、リレーレンズ１１やミラー１２を配置した。さらに、２枚のダイクロミラー１３，１４を配置して、ランプ１からの出射光を３つに分岐させ、リレーレンズ１５やミラー１６，１７，１８を配置して各液晶パネル２Ｒ，２Ｇ，２Ｂに導くようにした。なお、符号１９はフィールドレンズを示す。
【００２８】
ここで、各液晶パネル２Ｒ、２Ｇおよび２Ｂの位置が合っていないと、後述するように、表示画像の画質劣化が生じる。
【００２９】
ところで、上述した液晶パネル２Ｒ，２Ｇ，２Ｂには、図３に示すように映像信号入力手段３等を接続した。
【００３０】
図３は、本発明に係る実施例のブロック図である。
【００３１】
以下、詳細に説明する。
【００３２】
映像信号処理手段３において、符号３０はスイッチを示し、符号３１はＡ／Ｄコンバータを示す。また、符号３２はＤＳＰ部を示し、符号３３は、現状の表示データと次のフレームで表示するデータ等を保持するメモリを示し、符号３４はタイミング発生回路を示し、符号１０１は解像度変換回路を示し、符号１０２は表示位置補正に使用する表示データを記憶するメモリを示し、符号１０３は表示位置補正部を示し、符号１０４は調整画像記憶部を示し、符号１０５は調整画像表示制御部を示し、符号１０６はセレクタを示し、符号３５はＤＡコンバータを示し、符号３６は各液晶パネルに印加する信号と電源を供給するドライバ回路を示す。
【００３３】
ＤＳＰ部３２では、コントラスト、ブライト調整や色変換等の表示画像処理が行われる。
【００３４】
一方、符号５０はＰＣ（パソコン）入力端子を示し、符号５１はＮＴＳＣ入力端子を示す。
【００３５】
ここで、本ブロック図には、アナログ入力信号のみ記載されているが、それに限らず、ＬＶＤＳ、ＴＭＤＳ等の入力端子や、デジタルＴＶ用Ｄ４端子等を設けても有効であることは言うまでもない。
【００３６】
また、符号５２は信号処理回路を示し、ＮＴＳＣ信号のデコード、ノイズ低減処理、帯域制限フィルタリングおよび信号レベル調節等の信号処理を行う。
【００３７】
またさらに、符号５７は、ランプ１に接続されるランプ用の電源であるバラストを示し、符号５８はシステム電源、符号６０はＡＣインレットを示す。
【００３８】
また、符号６１は、本表示装置の種々の操作を行うためのリモコン、符号６２は、そのリモコンの信号を受信する制御パネルを示す。
【００３９】
さらに、符号２０４は表示位置調整ＳＷを示し、符号１０９は表示位置調整ＳＷ検出部を示し、表示位置調整ＳＷ２０４の動作を検出する。符号１１８はデジタイザ検出部を示し、デジタイザ２０２において指示された座標を検出する。符号１１１は表示位置ずれ量演算部を示し、符号１１２は回転中心演算部、符号１１３は回転角度演算部、符号１０７はＵＳＢ  Ｉ／Ｆである。
【００４０】
さらに、符号６３はＣＰＵを示し、符号６４はＲＯＭ、符号６５はＲＡＭを示す。このＣＰＵ６３は、上述した映像信号入力手段３や制御パネル６２やバラスト５７や表示位置調整ＳＷ検出部１０９やデジタイザ検出部１１８や表示位置ずれ量演算部１１１や回転中心演算部１１２や回転角度演算部１１３やＵＳＢ  Ｉ／Ｆ１０７等に接続されており、液晶パネル２Ｒ，２Ｇ，２Ｂやランプ１等の駆動制御や表示画像の拡大・縮小や移動を行うと共に、表示位置調整画像の表示や位置ずれ量の演算等を行う。
【００４１】
本実施例では、表示位置調整ＳＷ検出部１０９、デジタイザ検出部１１８、表示位置ずれ量演算部１１１、回転中心演算部１１２、回転角度演算部１１３、ＵＳＢ  Ｉ／Ｆ１０７等はＣＰＵ６３に接続されるものとして説明したが、ＣＰＵに内蔵したり、プログラムにより実行するように構成してもよい。
【００４２】
また、符号３００はＰＣ（パーソナルコンピューター）であり、ＣＰＵ３０１、ＨＤ（ハードディスク）３０２、ＲＡＭ３０３、ＲＯＭ３０４、ビデオメモリ３０５、グラフィックコントローラ３０６、マウスＩ／Ｆ３０７、ＵＳＢ  Ｉ／Ｆ３０８、等からなり、映像出力端子３０９、ＵＳＢ入力端子３１０、マウス入力端子３１１を備えている、符号３１２はマウスであり、マウス入力端子３１１に接続されている。
【００４３】
まず初めに、パネルの位置ずれが表示特性に与える影響について説明する。
【００４４】
図４は、パネル取付目標位置に対してずれた位置にパネルが取り付けられた例を示している。図４（ａ）において、４０１はＲパネル２Ｒの目標取付位置であり、Ｒパネル２Ｒは、目標取付位置４０１より、ずれた位置に取り付けられている。ここで、４０２はＲパネル２Ｒ上に表示された矩形画像である。
【００４５】
図４（ｂ）において、４０３はＧパネル２Ｇの目標取付位置であり、Ｇパネル２Ｇは、目標取付位置４０３より、ずれた位置に取り付けられている。ここで、４０４はＧパネル２Ｇ上に表示された矩形画像である。
【００４６】
図４（ｃ）において、４０５はＢパネル２Ｂの目標取付位置であり、Ｂパネル２Ｇは、目標取付位置４０５より、ずれた位置に取り付けられている。ここで、４０６はＢパネル２Ｂ上に表示された矩形画像である。
【００４７】
以上のように、目標取付位置に対してずれて取り付けられたパネルに表示された画像をスクリーン６に投影すると、図５のように、三板合成後の表示画像は、各パネルの位置ずれに応じてＲＧＢの表示画像がずれる。図５において、５０１は、Ｒパネル、Ｇパネル、Ｂパネルを目標取付位置に取り付けられた場合に合成画像がスクリーン上に表示される目標表示位置であり、５０２はＲパネルのスクリーン表示画像であり、５０３はＲパネル上に表示された矩形画像のスクリーン表示画像であり、５０４はＧパネルのスクリーン表示画像であり、５０５はＧパネル上に表示された矩形画像のスクリーン表示画像であり、５０６はＢパネルのスクリーン表示画像であり、５０７はＢパネル上に表示された矩形画像のスクリーン表示画像である。Ｒ、Ｇ、Ｂの各矩形画像の表示が取付位置のずれに応じてずれて表示されるため、表示画像の画質劣化を生ずる。
【００４８】
図６は、本発明により、ずれ位置を検出した後に、ずれ情報に応じて、各パネルの表示画像を電気的に補正した例を示している。
【００４９】
図６（ａ）において、６０１はＲパネル２Ｒの目標取付位置であり、Ｒパネル２Ｒは、目標取付位置６０１より、ずれた位置に取り付けられている。ここで、６０２はＲパネル２Ｒ上に表示された矩形画像であり、目標取付位置からの位置ずれ量に応じて補正表示されている。
【００５０】
図６（ｂ）において、６０３はＧパネル２Ｇの目標取付位置であり、Ｇパネル２Ｇは、目標取付位置６０３より、ずれた位置に取り付けられている。ここで、６０４はＧパネル２Ｇ上に表示された矩形画像であり、目標取付位置からの位置ずれ量に応じて補正表示されている。
【００５１】
図６（ｃ）において、６０５はＢパネル２Ｂの目標取付位置であり、Ｂパネル２Ｂは、目標取付位置６０５より、ずれた位置に取り付けられている。ここで、６０５はＢパネル２Ｂ上に表示された矩形画像であり、目標取付位置からの位置ずれ量に応じて補正表示されている。
【００５２】
図６のように、各パネルへの表示を位置ずれに応じて補正することにより、図７に示すように、三板合成後の表示画像は、ＲＧＢの各表示のずれが改善される。
【００５３】
図７において、７０１は、Ｒパネル、Ｇパネル、Ｂパネルを目標取付位置に取り付けられた場合に合成画像がスクリーン上に表示される目標表示位置であり、７０２はＲパネルのスクリーン表示画像であり、７０３はＲパネル上に表示された矩形画像のスクリーン表示画像であり、７０４はＧパネルのスクリーン表示画像であり、７０５はＧパネル上に表示された矩形画像のスクリーン表示画像でありＲパネルの矩形画像７０３と同じ位置に表示される。７０６はＢパネルのスクリーン表示画像であり、７０７はＢパネル上に表示された矩形画像のスクリーン表示画像でありＲおよびＧパネル上の矩形画像７０３及び７０５と同じ位置に表示される。
【００５４】
以上のように、各パネルへの表示を位置ずれに応じて補正して表示することにより、ＲＧＢ三板合成後の表示画像は、ＲＧＢの各表示のずれが改善され、画質劣化が生じない。
【００５５】
次に、本発明による調整方法について、詳細に説明する。
【００５６】
図８において、８００はスクリーン上に投影された表示画像を示しており、８０１は表示画像８００の左上部に表示された調整画像であり、８０２は表示画像８００の右下部に表示された調整画像である。
【００５７】
位置調整ＳＷ２０４を押すと（表示画面内にＯＳＤ表示してもよい）、位置調整ＳＷ検出部１０９が位置調整ＳＷ２０４が押されたことを検出する。
【００５８】
そして、調整用画像記憶部１０４より、調整用画像を読出し、調整用画像制御部１０５により、表示画面８００の対角の２箇所に調整用画像８０１および８０２を表示する。
【００５９】
調整用画像８０１および８０２は、基準となるＧ点に対して、ＲおよびＢの画像が上下左右および斜め方向に１画素ずれた画像である。
【００６０】
図９は、ＧパネルとＲパネルの位置調整用画像９００であり、９種類のパターン９０１〜９０９からなる。パターン９０１は、ＲがＧに対して、左斜め上に１画素ずれたパターンであり、パターン９０２はＲがＧに対して真上に１画素ずれたパターンであり、パターン９０３はＲがＧに対して右斜め上に１画素ずれたパターンである。パターン９０４はＲがＧに対して左に１画素ずれたパターンであり、パターン９０５はＲとＧが一致したパターンであり、パターン９０６はＲがＧに対して右に１画素ずれたパターンである。パターン９０７はＲがＧに対して左斜め下に１画素ずれたパターンであり、パターン９０８はＲがＧに対して下に１画素ずれたパターンであり、パターン９０９はＲがＧに対して右斜め下に１画素ずれたパターンである。
【００６１】
図９において、ＲをＢに置き換えることにより、ＧパネルとＢパネルの調整用画像も同様な構成で作成することができる。
【００６２】
これらの調整画像をスクリーン上に表示した場合には、実際にパネルが取り付けられた位置のずれに応じて、ＲとＧまたはＢとＧが重なって最適に見える画像が異なる。
【００６３】
例えば、スクリーン６に投影した表示画面８００の左上に表示した調整画像８０１において、図１０の様に、Ｇに対してＲが１画素下にずれたパターン９０８を表示した画像１００８が最適画像である場合は、Ｒパネルの左上部がＧパネルに対して、１画素分、上にずれていることを示す。
【００６４】
ここで、対角の右下に表示された調整用画像８０２も、ＲがＧに対して１画素下にずれた画像パターン９０８を表示した画像１００８が最適であれば、Ｒパネルの右下部もＧパネルに対して１画素分上にずれていることを示し、Ｒパネル全体が１画素分、上にずれていることが判る。
【００６５】
また、逆に、図１１の様に、ＲがＧに対して上にずれた画像パターン９０２を表示した画像１１０２が最適であれば、Ｒパネルの右上部がＧパネルに対して１画素分下にずれていることを示し、結果として、ＲパネルはＧパネルに対して、時計の進行方向に回転してずれていることになる。
【００６６】
調整画像における最適なパターンの選択は、デジタイザまたはリモコンにて行う。
【００６７】
選択されたパターンより、位置ずれ量演算部１１１により、上記の様に位置ずれ量を演算する。回転方向のずれを生じる場合は、回転中心演算部１１２および回転角度演算部１１３を用いて、回転中心および回転角度を求め、表示位置補正部１０３により各パネルに表示する補間信号を算出する。
【００６８】
次にこれらのずれ情報により回転角度を求め、各パネルに表示する補間信号を算出する方法について説明する。
【００６９】
回転角度は表示画面８００の対角の２箇所の調整画像８０１および８０２で選択されたパターンの種類により求めることができる。
【００７０】
パターンの選択は、デジタイザ２０２又はリモコン６１により行う。
【００７１】
デジタイザ２０２を用いて選択する場合は、デジタイザペン２０３により、スクリーン６上の表示画面８００の調整用画像８０１及び８０２内の最も最適に表示されているパターンを選択する。そして、選択されたパターンにより位置ずれ量を検出する。また、回転角度を計算する。調整用画像８０１及び８０２において選択されたパターンが同じずれ方向及び量を示している場合は、ＸおよびＹ方向のずれであり、回転はしていないことになる。逆に、選択された２つのパターンが同じずれ方向を示していない場合は、回転方向の位置ずれをしていることになる。
【００７２】
図１２において、１２００はＧパネルのスクリーン上の表示画像であり、１２０２はＧパネルの（ｘ１，ｙ１）座標に表示した点がスクリーン上に表示された点であり、１２０４はＧパネルの（ｘ２，ｙ２）座標に表示した点がスクリーン上に表示された点である。
【００７３】
また、１２０１はＲパネルのスクリーン上の表示画像であり、１２０３はＲパネルの（ｘ１，ｙ１）座標に表示した点がスクリーン上に表示された点であり、１２０５はＲパネルの（ｘ２，ｙ２）座標に表示した点がスクリーン上に表示された点である。１２０６は、ＧパネルとＲパネルの表示画像の位置ずれの回転中心であり、１２０８は回転角度である。
【００７４】
図１３において１２０１はＲパネルであり、１３０１はＲパネル１２０１に対して、回転中心１２０６および回転角度１２０８として、パネルの回転方向とは逆方向に回転補正して入力した画像を示している。
【００７５】
例えば、図１０に示す様に、右上が上にずれ、図１１に示す様に、左下が下にずれている場合は、図９におけるパターンのＧ画素のＧパネル２Ｇ上の座標が、（ｘ１，ｙ１）とすると、回転したＲパネル２Ｒの（ｘ１，ｙ１）座標に表示した画像は、スクリーン上では、図１２の１２０３に示す様に（ｘ１＋△ｘ，ｙ１＋△ｙ）に表示される。また、図１０におけるパターンのＧ画素の座標が（ｘ２，ｙ２）とすると、回転したＲパネルの（ｘ２，ｙ２）座標に表示した画像は、スクリーン上では、１２０５に示す様に（ｘ２−△ｘ，ｙ２−△ｙ）に表示される。
【００７６】
ここで、（ｘ１，ｙ１）と（ｘ２，ｙ２）を結ぶ直線と、（ｘ１＋△ｘ，ｙ１＋△ｙ）と（ｘ２−△ｘ，ｙ２−△ｙ）を結ぶ直線の交点が、回転中心となる。
【００７７】
また、回転角Ａは、次式より算出できる。
Ａ＝Ａ２−Ａ１      （式１）
ｔａｎＡ１＝（ｙ１−ｙ０）／（ｘ０−ｘ１）      （式２）
ｔａｎＡ２＝（（ｙ１＋△ｙ）−ｙ０）／（ｘ０−（ｘ１＋△ｘ））    （式３）
Ｒパネルは、Ｇパネルに対して、時計の回転方向に角度Ａ回転している。
従って、図１３のように、パネル１２０１の回転とは逆方向に回転した画像１３０１をＲパネル２Ｒに表示すればよい。
【００７８】
次式において、座標（ｘ，ｙ）は、回転する前の画像の座標であり、座標（Ｘ，Ｙ）は、回転する前の画像が、角度Ａ回転した画像の座標である。回転中心を（ｘ０，ｙ０）とすると、回転後の座標（Ｘ，Ｙ）に対応する回転前の画像の座標（ｘ，ｙ）は次式から求めることができる。
ｘ＝｛（Ｘ−ｘ０）ｃｏｓＡ−（Ｙ−ｙ０）ｓｉｎＡ｝＋ｘ０      （式４）
ｙ＝｛（Ｘ−ｘ０）ｓｉｎＡ−（Ｙ−ｙ０）ｃｏｓＡ｝＋ｙ０      （式５）
従って、式（４）および、式（５）より、元画像（ｘ，ｙ）より、回転後の画像（Ｘ，Ｙ）を算出して、Ｒパネルに書き込めばよい。
【００７９】
ここで、ｘおよびｙが、小数点以下の端数を含む場合は、端数に応じて周辺画素を用いて補間処理をすればよい。補間方法としては、ニアリストネイバー補間やリニア補間やキュービック補間等を用いることができる。
【００８０】
そして、パネル取り付け位置の回転とは、逆方向に回転した画像を表示すればよい。
以上のようにして、回転前の元画像から回転後のパネルに適した画像を作成して表示すれば、ずれの無い合成画像を得ることができる。
【００８１】
本実施例では、投射型表示装置において、少なくとも２枚のパネルの位置を合せる方法について説明したが、投射型表示装置に限らず、複数の表示を合成して表示する装置であれば、適用可能である。
【００８２】
また、本実施例では、表示位置補正手段を解像度変換手段とは別にしたが、兼用する構成としてもよい。
【００８３】
（実施例２）
本実施例では、２台のプロジェクターの画像を合成する場合について説明する。
【００８４】
１４０１および１４０２はフロントプロジェクターであり、プロジェクター１４０１よりスクリーン（不図示）に投影した画像が１４０３であり、プロジェクター１４０２より投影した画像が１４０４である。プロジェクター１４０１の投影画像１４０３は、プロジェクター１４０２の投影画像１４０４に対して、１４０５を回転中心として、角度１４０６だけ時計の回転方向に回転している。
【００８５】
本例においても、図８の調整用画像を投影することにより、ずれ量を検出し、表示画像の回転方向とは逆方向に回転した画像をプロジェクター１４０１に投影することにより、位置ずれのない合成画像を得ることができる。
【図面の簡単な説明】
【００８６】
【図１】本発明の第一の実施例によるによる背面投射型表示装置
【図２】第一の実施例による投射型表示エンジン
【図３】第一の実施例による画像表示装置のブロック図
【図４】第一の実施例を説明するための表示画像例
【図５】第一の実施例を説明するための表示画像例
【図６】第一の実施例を説明するための表示画像例
【図７】第一の実施例を説明するための表示画像例
【図８】第一の実施例を説明するための表示画像例
【図９】第一の実施例による調整画像
【図１０】第一の実施例による調整画像の表示例
【図１１】第一の実施例による調整画像の表示例
【図１２】第一の実施例を説明するための表示画像例
【図１３】第一の実施例を説明するための補正画像の表示画像例
【図１４】第二の実施例による表示例
【符号の説明】
【００８７】
１  ランプ（光源）
２Ｒ  液晶パネル
２Ｇ  液晶パネル
２Ｂ  液晶パネル
６  スクリーン
７  クロスプリズム
８  偏光板
９  投射レンズ
１０  放物型のリフレクタ
１１  リレーレンズ
１２  ミラー
１３  ダイクロミラー
１４  ダイクロミラー
１５  リレーレンズ
１６  ミラー
１７  ミラー
１８  ミラー
１９  フィールドレンズ
４０  はえの目インテグレータ
４１  はえの目インテグレータ
５７  ランプ用の電源であるバラスト
５８  システム電源
６０  ＡＣインレット
６１  リモコン
６２  制御パネル
６３  ＣＰＵ
６４  ＲＯＭ
６５  ＲＡＭ
１０７  ＵＳＢ  Ｉ／Ｆ
１０９  表示位置調整ＳＷ検出部
１１０  表示位置調整ＳＷ
１１１  表示位置ずれ量演算部
１１２  回転中心演算部
１１３  回転角度演算部
１１８  デジタイザ検出部
２００  背面投射型表示装置
２０１  反射ミラー
２０２  デジタイザ装置
２０３  デジタイザ用ペン
２０４  位置調整ＳＷ
３００  ＰＣ
３０１  ＣＰＵ
３０２  ハードディスク
３０３  ＲＡＭ
３０４  ＲＯＭ
３０５  ビデオメモリ
３０６  グラフィックコントローラ
３０７  マウスＩ／Ｆ
３０８  ＵＳＢ  Ｉ／Ｆ
３０９  映像出力端子
３１０  ＵＳＢ入力端子
３１１  マウス入力端子
３１２  マウス
１４０１  フロントプロジェクター
１４０２  フロントプロジェクター
Ｄ１  投射型表示エンジン
【図１】
2006129026.tif 000003
【図２】
2006129026.tif 000004
【図３】
2006129026.tif 000005
【図４】
2006129026.tif 000006
【図５】
2006129026.tif 000007
【図６】
2006129026.tif 000008
【図７】
2006129026.tif 000009
【図８】
2006129026.tif 000010
【図９】
2006129026.tif 000011
【図１０】
2006129026.tif 000012
【図１１】
2006129026.tif 000013
【図１２】
2006129026.tif 000014
【図１３】
2006129026.tif 000015
【図１４】
2006129026.tif 000016
【手続補正書】
【提出日】平成17年9月21日(2005.9.21)
【手続補正１】
【補正対象書類名】特許請求の範囲
【補正対象項目名】請求項１
【補正方法】変更
【補正の内容】
【請求項１】
異なる複数のパターンからなる複数色の位置調整用画像を表示する調整用画像表示手段と、前記パターンの何れかを選択する選択手段と、前記選択手段で選択された調整用画像に応じた補正を行なう補正手段とを備えることを特徴とする表示装置。
【手続補正２】
【補正対象書類名】特許請求の範囲
【補正対象項目名】請求項３
【補正方法】変更
【補正の内容】
【請求項３】
前記補正手段は、前記選択手段で選択された調整用画像から複数色間のずれ量を演算する演算手段を備えることを特徴とする請求項１に記載の表示装置。
【手続補正３】
【補正対象書類名】特許請求の範囲
【補正対象項目名】請求項５
【補正方法】変更
【補正の内容】
【請求項５】
異なる複数のパターンからなる複数色の位置調整用画像を表示する調整用画像表示ステップと、前記パターンの何れかを選択する選択ステップと、前記選択ステップで選択された調整用画像に応じた補正を行なう補正ステップとを備えることを特徴とする表示装置の表示方法。
【手続補正４】
【補正対象書類名】特許請求の範囲
【補正対象項目名】請求項７
【補正方法】変更
【補正の内容】
【請求項７】
前記補正ステップは、前記選択ステップで選択された調整用画像から複数色間のずれ量を演算する演算ステップを備えることを特徴とする請求項５に記載の表示装置の表示方法。
【手続補正５】
【補正対象書類名】明細書
【補正対象項目名】００１３
【補正方法】変更
【補正の内容】
【００１３】
上記目的を達成するために本発明にあたっては、以下の構成を採用する。すなわち、
異なる複数のパターンからなる複数色の位置調整用画像を表示する調整用画像表示手段と、前記パターンの何れかを選択する選択手段と、前記選択手段で選択された調整用画像に応じた補正を行なう補正手段とを備えることを特徴とする表示装置である。
【手続補正６】
【補正対象書類名】明細書
【補正対象項目名】００１５
【補正方法】変更
【補正の内容】
【００１５】
また、前記補正手段は、前記選択手段で選択された調整用画像から複数色間のずれ量を演算する演算手段を備えることを特徴とする表示装置である。